(57)【要約】【課題】  結束器で結束した被結束物を移動させる際に、被結束物同士や被結束物と結束器との間の隙間を生じ難くし、安全性を向上させた結束器を提供する。【解決手段】  本発明の結束器１０は、地面上に載置される基部１１ａとその基部１１ａの両端から直立した二本の側辺１１ｂ、１１ｃとからなるフレーム１１と、側辺１１ｂ、１１ｃのそれぞれの先端部の間を架設しフレーム１１内に収納されたパイプ等の被結束物２０を上方から押圧する蓋体１５と、を有し、その蓋体１５において収納された被結束物２０を押圧する部材が被結束物接触面と直立面とを有する山形鋼１５ａで形成されており、山形鋼１５ａの被結束物接触面には、被結束物２０の隙間に挟まって被結束物２０を押圧する固定部材１６が備えられていることとする。【選択図】      図１
2019085165.tif 000002
【特許請求の範囲】
【請求項１】
地面上に載置される基部と前記基部の両端から直立した二本の側辺とからなるフレームと、前記側辺のそれぞれの先端部の間を架設し前記フレーム内に収納された被結束物を上方から押圧する蓋体と、を有し、
前記蓋体において収納された被結束物を押圧する部材が被結束物接触面と直立面とを有する山形鋼で形成されており、前記山形鋼の被結束物接触面には、被結束物の隙間に挟まって被結束物を押圧する固定部材が備えられていることを特徴とする結束器。
【請求項２】
前記固定部材が、鋼管又は丸棒からなることを特徴とする請求項１に記載の結束器。
【請求項３】
前記山形鋼の直立面の一端部に係止用切欠部を有し、前記蓋体を開けたときに前記係止用切欠部を前記側辺に設けられた係止ピンに嵌合させることで前記蓋体を直立保持できることを特徴とする請求項１又は２に記載の結束器。
【発明の詳細な説明】
【技術分野】
【０００１】
本発明は、建築足場に用いられるパイプ等の被結束物を多数まとめて結束する結束器に関する。
【背景技術】
【０００２】
建築現場では、建築物の周囲に足場を組んで作業が行われることが多い。このような足場は、多数のパイプをジョイントで繋いで構築される。したがって、足場作成のため、多数のパイプを運搬したり、また、保管したりする必要がある。そこで、５０本から１００本程度のパイプを一つに束ねて、運搬や保管を容易にする単管パイプ結束器が用いられている（例えば、特許文献１参照）。
【０００３】
図５は、従来の単管パイプ結束器によってパイプを束ねた様子を二方向から表した図である。単管パイプ結束器１００は、地面上に載置される基部１１１ａとその基部１１１ａの両端から直立した二本の側辺１１１ｂ、１１１ｃとからなるフレーム１１１と、側辺１１１ｂ、１１１ｃの先端間を架設することができる蓋体１１５と、を有する構成である。蓋体１１５は、一方の側辺１１１ｃに備えられた回動軸に回動可能に係合しており、フレーム１１１の上辺を閉じたり開いたりできる構造になっている。
【０００４】
そして、パイプ２１を束ねる際には、２基の単管パイプ結束器１００を地面上に置き、それらの単管パイプ結束器１００を架橋するようにフレーム１１１の中にパイプ２０を並べる。このとき、規則正しく並べることで、フレーム１１１内に所定の本数のパイプ２１を収納することができ、蓋体１１５を閉じたときに、単管パイプ結束器１００とパイプ２１との間の隙間を極力小さくすることができる。
【０００５】
しかし、単管パイプ結束器１００とパイプ２１との間の隙間を無くすことは不可能なので、図５のようにワイヤ９０を掛けてクレーンで吊り上げたり、二つの単管パイプ結束器１００の間にフォークリフトの爪を挿し込んでパイプ２１を下から持ち上げたりすると、蓋体１１５が撓み、それによって、パイプ２１同士やパイプ２１と単管パイプ結束器１００との間の隙間が大きくなることがある。そうすると、結束していたパイプ２１がばらけたり、酷い場合にはパイプ２１が落下する危険性もある。
【先行技術文献】
【特許文献】
【０００６】
【特許文献１】特許第２９８９８０８号
【発明の概要】
【発明が解決しようとする課題】
【０００７】
上記のような事情に鑑み、本発明は、結束器で結束したパイプ等の被結束物を吊り上げたり持ち上げたりして移動させる際に、被結束物同士や被結束物と結束器との間の隙間を生じ難くし、安全性を向上させた結束器を提供することを目的としている。
【課題を解決するための手段】
【０００８】
上記の目的を達成するために本発明の結束器は、地面上に載置される基部とその基部の両端から直立した二本の側辺とからなるフレームと、側辺のそれぞれの先端部の間を架設しフレーム内に収納されたパイプ等の被結束物を上方から押圧する蓋体と、を有し、その蓋体において収納された被結束物を押圧する部材が被結束物接触面と直立面とを有する山形鋼で形成されており、山形鋼の被結束物接触面には、被結束物の隙間に挟まって被結束物を押圧する固定部材が備えられていることとする。ここで、固定部材は、鋼管又は丸棒からなることにするとよい。
【０００９】
更に、山形鋼の直立面の一端部に係止用切欠部を有し、蓋体を開けたときに係止用切欠部を側辺に設けられた係止ピンに嵌合させることで蓋体を直立保持できることにするとよい。
【発明の効果】
【００１０】
本発明の結束器によれば、蓋体の撓みを抑制することができ、かつ、収納されたパイプ等の被結束物を強く押圧することができるので、被結束物同士や被結束物と結束器との間の隙間を生じ難くすることができるという効果を奏する。
【００１１】
更に、蓋体を開けたときに直立して保持できるので、被結束物の出し入れをする際に蓋体が邪魔にならないという効果を奏する。
【図面の簡単な説明】
【００１２】
【図１】本発明の結束器の正面図であって、（ａ）は被結束物を結束した図、（ｂ）は被結束物の出し入れをしている図である。
【図２】蓋体と被結束物の接触部分を拡大した図であって、被結束物の軸方向から見た図とＡ−Ａ線断面図である。
【図３】蓋体の開閉方法を説明する図であって、（ａ）は蓋体が閉じている状態、（ｂ）は蓋体を開けた状態、（ｃ）は蓋体を直立保持した状態である。
【図４】蓋体の回転機構を説明する図である。
【図５】従来の単管パイプ結束器によって単管パイプを束ねた様子を二方向から表した図である。
【発明を実施するための形態】
【００１３】
以下、本発明の実施の形態を添付図面を参照して説明する。
【００１４】
図１は、本発明の結束器の正面図であって、（ａ）は被結束物を結束した図、（ｂ）は被結束物の出し入れをしている図である。本発明の結束器１０の基本の構成は、従来の単管パイプ結束器とほとんど変わらない。結束器１０は、地面上に載置される基部１１ａとその基部１１ａの両端から直立した二本の側辺１１ｂ、１１ｃとからなるフレーム１１と、側辺１１ｂ、１１ｃの先端間を架設することができる蓋体１５と、を有する構成である。なお、被結束物としては、パイプ（鋼管、塩ビ管等）に限らず、様々な直線的な材料を対象とする。
【００１５】
蓋体１５は、一方の側辺１１ｃに備えられた回動軸１２に回動可能に係合しており、フレーム１１の上辺を閉じたり開いたりできる構造になっている。そして、被結束物２０を出し入れするときは図１（ｂ）のように蓋体１５を開け、被結束物２０を収納するときは図１（ａ）のように蓋体１５を閉じ、蓋体１５と側辺１１ｂをロックすることができるようになっている。
【００１６】
図２は、蓋体と被結束物の接触部分を拡大した図であって、（ａ）は被結束物の軸方向から見た図、（ｂ）は被結束物の側面から見た図である。
【００１７】
蓋体１５はフレーム１１内に収納した被結束物２０を上方から押圧する部材であり、本発明では、被結束物２０を押圧する部材として山形鋼１５ａを用いている。山形鋼１５ａは断面が略Ｌ字型の部材であり、その一辺は被結束物２０を押圧する面として用いられ、もう一辺は上方に直立させることで蓋体１５の撓みを抑えることができる。つまり、山形鋼１５ａを用いることで、結束した被結束物２０をワイヤ等で吊り上げたり、フォークリフトで持ち上げたときに、蓋体１５が撓むのを抑制することができる。
【００１８】
また、蓋体１５の被結束物２０を押圧する面に固定部材１６が備えられている。固定部材１６は、基本的には、蓋体１５のほぼ中央位置に備えられ、収納した被結束物２０の隙間に挟まって、被結束物２０を押圧する。なお、中央位置のみに限らず、複数箇所に設けてもよい。固定部材１６は、鋼管又は丸棒で形成するとよいが、収納した被結束物２０を効果的に押圧できるのであれば、それ以外の形状の部材を用いてもよい。このような固定部材１６を設けることで、収納した被結束物２０を上方からだけでなく、横方向にも押圧力がかかることになるので、被結束物２０が前後左右に移動するのを抑えることができる。
【００１９】
以上のように、蓋体１５に山形鋼１５ａを用い、かつ、固定部材１６を設けることで、結束した被結束物２０を吊り上げたり、持ち上げたりしたときに、被結束物２０がばらけたり、落下したりするという危険を回避することができる。
【００２０】
図３は、蓋体の開閉方法を説明する図であって、（ａ）は蓋体が閉じている状態、（ｂ）は蓋体を開けた状態、（ｃ）は蓋体を直立保持した状態である。蓋体１５は、一方の側辺１１ｃとは回動可能に係合され、もう一方の側辺１１ｂとは閉じたときにロック可能な構造になっている。なお、ロックの構造は、結束した被結束物２０を吊り上げたときに、蓋体１５が外れない程度に強固な構造でなければならないが、その構造は特に限定しない。
【００２１】
回動可能に係合されている方の側辺１１ｃには、ピン等からなる回動軸１２が設けられている。そして、その回動軸１２に引っ掛けて回転できるように、蓋体１５の端部にはＵ型係合部１５ｂが設けられている。つまり、山形鋼１５ａとＵ型係合部１５ｂとは一体的に繋がっている。
【００２２】
ここで、回動の機構がＵ型係合部１５ｂと回動軸１２のみの構成だと、蓋体１５がフレーム１１から容易に外れるので、係止ピン１３を設けている。図４は、蓋体の回転機構を説明する図である。回動軸１２と係止ピン１３との間隔ｓは、Ｕ型係合部１５ｂの厚さｔより大きく、Ｕ型係合部１５ｂの幅Ｄより小さくしておくとよい。
【００２３】
更に、蓋体１５の山形鋼１５ａの直立面の端部に、係止ピン１３が嵌る大きさの係止用切欠部１５ｃを設けるとよい。この係止用切欠部１５ｃは、図３（ｃ）に示すように、係止ピン１３と嵌合することで蓋体１５を直立保持させることができる。このような蓋体１５を直立保持させる構造を設けることで、被結束物２０を出し入れする際に、蓋体１５がガタガタと不安定になることを防ぐことができる。また、蓋体１５を開けたときに、フレーム１１からその都度取り外す構造だとすると、外した蓋体１５が邪魔になったり、紛失したりすることになりかねないので、フレーム１１に係止させておくことが好ましい。
【００２４】
なお、係止ピン１３を一部切断しておくことで、山形鋼１５ａの直立面が係止ピン１３に当たらない構造にすることもできる。その場合は、蓋体１５は、側辺１１ｃと重なるように立てることができる。
【００２５】
以上のような結束器１０であれば、蓋体１５が撓みにくく、しっかりと収納した被結束物２０を押圧することができるので、被結束物２０を移動させるときに、被結束物２０がばらけることがなく、かつ、被結束物２０の出し入れ時に蓋体１５を邪魔にならないように備えておくことができる構成になっている。
【符号の説明】
【００２６】
１０ 結束器
１１ フレーム
１１ａ 基部
１１ｂ、１１ｃ 側辺
１２ 回動軸
１３ 係止ピン
１５ 蓋体
１５ａ 山形鋼
１５ｂ Ｕ型係合部
１５ｃ 係止用切欠部
１６ 固定部材
２０ 被結束物
２１ パイプ
【図１】
2019085165.tif 000003
【図２】
2019085165.tif 000004
【図３】
2019085165.tif 000005
【図４】
2019085165.tif 000006
【図５】
2019085165.tif 000007